【手続補正書】
【提出日】令和3年1月18日(2021.1.18)
【手続補正１】
【補正対象書類名】特許請求の範囲
【補正対象項目名】全文
【補正方法】変更
【補正の内容】
【特許請求の範囲】
【請求項１】
コンピュータプログラム命令及びデータが具現化されている非一過性のコンピュータ可読媒体におけるデータコンテンツを除外するフィルタリングを行うフィルタリング方法であって、コンピュータデバイスのグラフィカルユーザインタフェースに表示されるコンテンツをフィルタリングするために、前記コンピュータプログラム命令及びデータが、少なくとも１つのプロセッサにより実行された際に、前記コンピュータデバイスの操作を遂行するようにこの少なくとも１つのプロセッサを構成する命令を有し、前記操作は、
複数のアプリケーションのうちの少なくとも１つのアプリケーションによるネットワーク要求、及び前記コンピュータデバイスによる前記少なくとも１つのアプリケーションの実行の少なくとも一方に応答して、前記コンピュータデバイスにより、ディスプレイコンテンツ識別子と関連するオブジェクトを受信するステップであって、前記オブジェクトは、写真、ビデオ、オーディオファイル、文書、グラフィックス、２Ｄ画像、３Ｄ画像、仮想現実ファイル、ＵＲＬ、及びこれらの任意の組合せのうちの少なくとも１つであるステップと、
前記コンピュータデバイスにより且つユーザが選択したフィルタ基準及び動的フィルタリングワードの指示に基づいて、前記オブジェクトに対するそれぞれの重み付け確率を決定するステップと、
リモートサーバから追加の動的フィルタリングワードを受信して、少なくとも１つのプロセッサが前記重み付け確率及びフィルタワードの追加の動的セットに基づいて更新された重み付け確率を決定するようにするステップと、
前記コンピュータデバイスにより、前記重み付け確率に基づくとともに関連のユーザアカウントのユーザ優先度に基づいて前記複数のアプリケーションのうちの前記少なくとも１つのアプリケーションに対するグラフィカル要素を決定するステップであって、前記更新された重み付け確率に基づいてフィルタ基準に照合しそうな前記グラフィカル要素の部分内の前記オブジェクトを、前記グラフィカル要素の前記部分内で、異なるグラフィカルディスプレイと置き換え、該グラフィカルディスプレイは、他のオブジェクトに限定されず、フィルタリングされたコンテンツを示すグラフィカルボタン、フィルタリングされたコンテンツを示すメッセージ、フィルタリングされたコンテンツを示すグラフィカル画像または通知、及びこれらの任意の組合せを含むステップと、
前記コンピュータデバイスにより且つこのコンピュータデバイスの前記グラフィカルユーザインタフェースにおいて、前記関連のユーザアカウントでユーザにより選択された前記複数のアプリケーションのうちのそれぞれの各アプリケーションに対する前記グラフィカル要素を出力して、コンテンツをフィルタリングするためのコンピュータプログラムを実行するようにするステップと、
前記追加の動的フィルタリングワードと、前記オブジェクトに対し発生された前記更新された重み付け確率とをユーザアカウント情報と関連して記憶するステップと
を有するようにするフィルタリング方法。
【請求項２】
請求項１に記載のフィルタリング方法において、このフィルタリング方法が更に、
前記複数のアプリケーションからコンテンツをフィルタリングするための少なくとも１つのアプリケーションの選択を受信するステップと、
ユーザアカウント情報と関連して、前記少なくとも１つのアプリケーションの選択及びフィルタコンテンツの選択を記憶するステップと
を有するフィルタリング方法。
【請求項３】
請求項１に記載のフィルタリング方法において、このフィルタリング方法が更に、
前記コンピュータデバイスにより且つ前記グラフィカル要素の出力及び前記それぞれの重み付け確率に基づいて、更新した複数の重み付け確率を発生させるステップを有しているフィルタリング方法。
【請求項４】
請求項１に記載のフィルタリング方法において、前記グラフィカル要素を決定するステップが前記重み付け確率に対し予め決定したしきい値に少なくとも部分的に基づくようにするフィルタリング方法。
【請求項５】
請求項１に記載のフィルタリング方法において、このフィルタリング方法が更に、複数のサブオブジェクトを含むオブジェクトを受信するステップを有し、これら複数のサブオブジェクトの各サブオブジェクトはコンテンツ識別子と関連し、前記グラフィカル要素が前記オブジェクトの各サブセットに対する前記重み付け確率及び前記コンテンツ識別子に基づくようにするフィルタリング方法。
【請求項６】
請求項１に記載のフィルタリング方法において、前記コンピュータデバイスでコンテンツをフィルタリングする前記コンピュータプログラムが、コンテンツをフィルタリングするこのコンピュータプログラムを実行するそれぞれのアプリケーションに対しユーザと関連するネットワーク及びアカウント情報をアクセスする許可を受信するようにするフィルタリング方法。
【請求項７】
請求項１に記載のフィルタリング方法において、前記コンピュータデバイスのオペレーティングシステム内及びダウンロード可能なアプリケーション内の少なくとも一方に統合されている前記コンピュータプログラムを、前記非一過性のコンピュータ可読媒体内に少なくとも部分的に統合させるフィルタリング方法。
【請求項８】
請求項１に記載のフィルタリング方法において、前記コンピュータデバイスでデータコンテンツを除外する前記フィルタリングを、このコンピュータデバイスの前記ユーザインタフェースにおけるユーザ入力に基づいて有効化又は無効化し、前記データコンテンツを除外するフィルタリングを有効化することは、前記コンピュータデバイスに到来し前記コンピュータデバイスから送信されるすべてのネットワーク通信のコンテンツをさらにフィルタリングし、該コンテンツは前記コンピュータデバイスにおいて受信するか記憶しているオブジェクトを含むフィルタリング方法。
【請求項９】
請求項１に記載のフィルタリング方法において、フィルタ基準の選択の指示には前記コンピュータデバイスのアカウントに対するアクセスを必要とするようにするフィルタリング方法。
【請求項１０】
データコンテンツを除外するフィルタリングを行う請求項１に記載のフィルタリング方法において、このフィルタリング方法が更に、前記グラフィカル要素の出力をフィルタリングするためのオブジェクトの選択に対応するユーザ入力の更新指示に基づいてコンテンツフィルタを更新するステップを有するようにするフィルタリング方法。
【請求項１１】
請求項１に記載のフィルタリング方法において、前記グラフィカル要素の出力は、フィルタリングされたコンテンツを見るアクセスを許容するこのフィルタリングされたコンテンツの指示をこのグラフィカル要素が含む第１のモード、又はフィルタリングされたコンテンツの指示を出力のグラフィカル要素内に含まない第２のモードに基づいて決定するようにするフィルタリング方法。
【請求項１２】
請求項１に記載のフィルタリング方法において、フィルタ基準の選択の指示は、ユーザ入力により決定される主題と関連するフィルタ基準のグループに対するものとするフィルタリング方法。
【請求項１３】
請求項１に記載のフィルタリング方法において、フィルタ基準の選択の指示は、データの種類と関連するフィルタ基準のグループに対するものとするフィルタリング方法。
【請求項１４】
請求項１に記載のフィルタリング方法において、データコンテンツを除外する前記フィルタリングが、フィルタリングされたコンテンツをユーザに通知する指示を前記コンピュータデバイスによりグラフィカルユーザインタフェースに送信するステップを有するようにするフィルタリング方法。
【請求項１５】
請求項１に記載のフィルタリング方法において、コンテンツ識別子が、メタデータと、グラフィカルコンテンツデータと、キャッシュデータと、前記オブジェクトと関連するその他のデータとを有するようにするフィルタリング方法。
【請求項１６】
コンピュータデバイスによりコンテンツをフィルタリングするフィルタリングシステムであって、このフィルタリングシステムは、
フィルタ基準を有する第１のデータベースと、
それぞれのネットワークと関連する複数のアプリケーションを有する第２のデータベースと、
前記複数のアプリケーションのうちの少なくとも１つのアプリケーションによるネットワーク要求に応答して、前記複数のアプリケーションのうちの１つのアプリケーションと関連するそれぞれのネットワークからのディスプレイコンテンツ識別子と関連するオブジェクトを受信するように構成したプロセッサと、
非一過性のコンピュータ可読媒体であって、コンピュータデバイスのグラフィカルユーザインタフェースに表示されたコンテンツをフィルタリングするために、この非一過性のコンピュータ可読媒体に具現化されたコンピュータプログラム命令及びデータを有しているとともに、前記プロセッサに結合された前記コンピュータデバイスにおいて符号化され、前記プロセッサが操作を遂行するようにした当該非一過性のコンピュータ可読媒体と
を具えており、
前記オブジェクトは、写真、ビデオ、オーディオファイル、文書、グラフィックス、２Ｄ画像、３Ｄ画像、仮想現実ファイル、ＵＲＬ、及びこれらの任意の組合せのうちの少なくとも１つであり、
前記操作は、
重み付け確率に基づいて、前記オブジェクトと関連して受信した前記コンテンツ識別子を前記第１のデータベース内に記憶されたデータと比較するステップと、
リモートサーバから追加の動的フィルタリングワードを受信して、少なくとも１つのプロセッサが前記重み付け確率とフィルタワードの更新された動的セットとに基づいて更新された重み付け確率を決定するようにするステップと、
前記複数のアプリケーションのうちの１つのアプリケーションに対するグラフィカル要素を、前記コンテンツ識別子と前記第１のデータベースのデータとの比較に基づき、かつ関連するユーザアカウントのユーザの好みに基づいて決定するステップであって、前記更新された重み付け確率に基づいてフィルタ基準に照合しそうな前記グラフィカル要素の部分内の前記オブジェクトを、前記グラフィカル要素の前記部分内で、異なるグラフィカルディスプレイと置き換え、該グラフィカルディスプレイは、他のオブジェクトに限定されず、フィルタリングされたコンテンツを示すグラフィカルボタン、フィルタリングされたコンテンツを示すメッセージ、フィルタリングされたコンテンツを示すグラフィカル画像または通知、及びこれらの任意の組合せを含むステップと、
コンテンツをフィルタリングするコンピュータプログラムを実行している前記複数のアプリケーションのうちの各アプリケーションに対し、前記コンピュータデバイスにおいて前記比較に基づいて前記グラフィカル要素を発生させるステップと、
前記追加の動的フィルタリングワードと、前記オブジェクトに対し発生された前記更新された重み付け確率とをユーザアカウント情報と関連して記憶するステップと
を有するようにしたフィルタリングシステム。
【請求項１７】
請求項１６に記載のフィルタリングシステムにおいて、前記非一過性のコンピュータ可読媒体で符号化された前記コンピュータプログラムが前記コンピュータプログラム命令を有し、これらコンピュータプログラム命令は、前記プロセッサにより実行された際に、このプロセッサが前記コンピュータデバイスのユーザインタフェースに前記グラフィカル要素を発生し、更新されたグラフィカル要素及び前記フィルタリングされたオブジェクトの指示を発生することによって前記フィルタ基準に関連するオブジェクトをフィルタリングし、該更新されたグラフィカル要素は、前記フィルタ基準に関連するオブジェクトを、少なくとも１つの置換えコンテンツに置き換えるフィルタリングシステム。
【請求項１８】
コンピュータプログラム命令及びデータが具現化されている非一過性のコンピュータ可読媒体を具えるコンピュータプログラム製品であって、コンピュータデバイスのグラフィカルユーザインタフェースに表示されるコンテンツをフィルタリングするために、前記コンピュータプログラム命令及びデータが、少なくとも１つのプロセッサにより実行された際に、操作を遂行するようにこの少なくとも１つのプロセッサを構成する命令を有し、前記操作は、
フィルタ基準の選択の指示を受信するステップと、
複数のアプリケーションのうちの少なくとも１つのアプリケーションと関連するネットワークにアクセス要求を送信するステップと、
前記複数のアプリケーションのうちの少なくとも１つのアプリケーションと関連するネットワークに対する前記アクセス要求に応答してコンテンツ識別子と関連するオブジェクトを受信するステップであって、前記オブジェクトは、写真、ビデオ、オーディオファイル、文書、グラフィックス、２Ｄ画像、３Ｄ画像、仮想現実ファイル、ＵＲＬ、及びこれらの任意の組合せのうちの少なくとも１つであるステップと、
この受信したオブジェクトに対するそれぞれの重み付け確率を決定するステップと、
リモートサーバから追加の動的フィルタリングワードを受信して、少なくとも１つのプロセッサが前記重み付け確率とフィルタワードの更新された動的セットとに基づいて更新された重み付け確率を決定するようにするステップと、
前記重み付け確率、前記選択、及び関連するユーザアカウントのユーザの好みに基づいてグラフィカル要素を決定するステップであって、前記更新された重み付け確率に基づいてフィルタ基準に照合しそうな前記グラフィカル要素の部分内の前記オブジェクトを、前記グラフィカル要素の前記部分内で、異なるグラフィカルディスプレイと置き換え、該グラフィカルディスプレイは、他のオブジェクトに限定されず、フィルタリングされたコンテンツを示すグラフィカルボタン、フィルタリングされたコンテンツを示すメッセージ、フィルタリングされたコンテンツを示すグラフィカル画像または通知、及びこれらの任意の組合せを含むステップと、
コンテンツをフィルタリングするコンピュータプログラムを実行するために関連のユーザアカウントにおいてユーザにより選択した前記複数のアプリケーションのうちの各アプリケーションに対し、前記コンピュータデバイスにおいて前記比較に基づいて前記グラフィカル要素を出力するステップと、
前記追加の動的フィルタリングワードと前記オブジェクトに対し発生され更新された重み付け確率とをユーザアカウント情報と関連して記憶するステップと
を有するようにしたコンピュータプログラム製品。